(57)【要約】    【課題】      無線区間でのコンテンツデータの受信信頼性を向上し、より確実なコンテンツデータの配信を可能とするコンテンツ配信システムを提供すること。    【解決手段】  配信管理装置１０２は、マルチキャストを用いたデータダウンロード通信（例えばＭＢＭＳ通信モード）を行うにあたって、ＭＢＭＳ通信モード起動指示信号を生成してこれを各携帯端末装置１０４に同報通知する。携帯端末装置１０４は、ＭＢＭＳ通信モード起動指示信号に基づいて、動作中の他のアプリケーションプログラムを停止させてＭＢＭＳ通信モード起動する。これにより、携帯端末装置１０４では、十分なリソースを用いてマルチキャストデータダウンロード通信モードを実行することができるようになるので、同報通知されたコンテンツを確実に受信することができる。  【選択図】      図１
2005303744.tif 000002
【特許請求の範囲】
【請求項１】
無線通信が可能な携帯端末と、コンテンツサーバに格納されたコンテンツデータの配信を制御して無線により前記携帯端末に配信する配信管理装置とを有するコンテンツ配信システムであって、
前記配信管理装置は、前記携帯端末に、マルチキャストを使ったデータダウンロードの通信モードを起動することを指示する通信モード起動指示信号を生成する通信モード起動指示信号生成手段を具備し、
前記携帯端末は、前記通信モード起動指示信号に基づきマルチキャストデータダウンロード通信モードを起動するマルチキャストデータダウンロード通信モード起動手段と、前記通信モード起動指示信号に基づき、動作中のアプリケーションプログラムを停止するアプリケーション停止手段とを具備する
ことを特徴とするコンテンツ配信システム。
【請求項２】
前記アプリケーション停止手段は、前記マルチキャストデータダウンロード通信モードを開始するのに十分なリソースが確保されていないと判断したときに、前記アプリケーションプログラムを停止する
ことを特徴とする請求項１に記載のコンテンツ配信システム。
【請求項３】
前記配信管理装置は、前記通信モード起動指示信号として、配信開始までの残り時間を示す情報を含む信号を生成し、
前記携帯端末は、前記配信開始までの残り時間に基づいて段階的に前記アプリケーションの停止処理を行う
ことを特徴とする請求項１に記載のコンテンツ配信システム。
【請求項４】
無線通信機能を有し、コンテンツサーバに格納されたコンテンツデータを無線により受信する携帯端末装置であって、
動作中のアプリケーションプログラムを停止するアプリケーション停止手段と、
前記アプリケーションプログラムが停止された後に、マルチキャストデータダウンロード通信モードを起動するマルチキャストデータダウンロード通信モード起動手段と
を具備することを特徴とする携帯端末装置。
【請求項５】
自端末が特定の位置に存在するか否かを検出する位置検出手段を具備し、
前記アプリケーション停止手段は、特定の位置に存在する検出結果が得られたとき、動作中のアプリケーションプログラムを停止し、
前記マルチキャストデータダウンロード通信モード起動手段は、特定の位置に存在する検出結果が得られたとき、マルチキャストデータダウンロード通信モードを起動する
ことを特徴とする請求項４に記載の携帯端末装置。
【請求項６】
配信管理装置が、携帯端末にマルチキャストを使ったデータダウンロードの通信モードを起動することを指示する信号を送信するステップと、
携帯端末が、前記通信モードを起動することを指示する信号を受信し、動作中のアプリケーションプログラムを停止すると共に前記通信モードを起動するステップと、
前記配信管理装置が、配信情報を送信するステップと、
前記携帯端末が、前記通信モードで配信情報を受信するステップと
を含むコンテンツ配信方法。
【発明の詳細な説明】
【技術分野】
【０００１】
本発明は、サーバに格納された情報（コンテンツ）を無線により携帯端末に配信する技術に関する。
【背景技術】
【０００２】
従来、講習会や教室等で、聴講者や生徒等の携帯端末に、例えば携帯端末所有者の要求によって、所望のコンテンツを配信することが考えられている。この場合、携帯端末から一斉にアクセスがなされるため、輻輳が発生する可能性が高く、無線区間上のトラフィックの過負荷により情報の取得遅延が生じたり取得できない状況が発生する。
【０００３】
これを解決するための方法として、配信情報をマルチキャスト（特定多数同報）通信する方法が提案されている（特許文献１、２、３参照）。この方法によれば、例えば教師の指示により、一斉にコンテンツが配信されるので、無線区間でのトラフィックを軽減することができる。
【０００４】
第３世代と呼ばれる携帯電話規格では、このマルチキャスト通信を導入したものがある。具体的には、ＭＢＭＳ（Multimedia Broadcast/Multicast Service）を使うことで、無線区間でマルチキャスト・ブロードキャスト通信を行い、無線区間でのトラフィック負荷を軽減するようになっている。このＭＢＭＳを使えば、授業中に所望のコンテンツを生徒の持っている携帯電話に一斉に配信することができる。
【特許文献１】特開２００２−３０５５４８号公報
【特許文献２】特開２００２−９４５６０号公報
【特許文献３】特開２００１−３０６４３５号公報
【発明の開示】
【発明が解決しようとする課題】
【０００５】
ところが、上述したマルチキャスト通信やマルチキャスト・ブロードキャスト通信のように１対Ｎ型の通信方式の場合、ハンドシェークを行わずにデータ転送を行うため、特に無線区間でのデータ転送の信頼性が低くなる。すなわち、送信側でコンテンツを配信したにも拘わらず、そのコンテンツが携帯端末に届かなくなる可能性がある。
【０００６】
本発明はかかる点に鑑みてなされたものであり、無線区間でのコンテンツデータの受信信頼性を向上し、より確実なコンテンツデータの配信を可能とするコンテンツ配信システム及び方法を提供することを目的とする。
【課題を解決するための手段】
【０００７】
かかる課題を解決するため本発明においては、マルチキャストを用いたデータダウンロード通信（例えばＭＢＭＳ通信モード）を行う前に、携帯端末装置において動作中の他のアプリケーションプログラムを停止させるようにする。これにより、携帯端末では、十分なリソースを用いてマルチキャストデータダウンロード通信モードを実行することができるようになるので、配信されるコンテンツの受信処理を確実に行うことができるようになる。この結果、同報通知されたコンテンツを確実に受信することができる。
【０００８】
また本発明においては、マルチキャストデータダウンロード通信モードを行うにあたって、予め配信側から当該通信モードを起動することを指示する信号を各携帯端末装置に同報通知する。これにより、各通信端末では、上記アプリケーションプログラムの停止処理及びマルチキャストデータダウンロード通信モードを自動的に行うことができるようになる。この結果、マルチキャスト送信されたコンテンツを一段と確実かつ容易に受信できるようになる。
【発明の効果】
【０００９】
このように本発明によれば、コンテンツデータをマルチキャストダウンロードするにあたっての、無線区間での受信の信頼性が向上し、より確実なコンテンツデータの配信が可能となる。
【発明を実施するための最良の形態】
【００１０】
以下、本発明の実施の形態について図面を参照して詳細に説明する。
【００１１】
（実施の形態１）
図１に、実施の形態１のコンテンツ配信システムの全体構成を示す。コンテンツ配信システムは、インターネット１０１に、コンテンツサーバ１００、配信管理装置１０２及び携帯電話網１０３が接続されている。また複数の携帯端末装置１０４が携帯電話網１０３を介してインターネット１０１にアクセス可能に接続されている。
【００１２】
ここで携帯端末装置１０４とは、携帯電話やパソコン、ＰＤＡ等を示し、要は無線通信機能を有し、携帯電話網１０３と無線により接続可能なものである。配信管理装置１０２は、例えば教師の机上に設置され、インターネット１０１及び携帯電話網１０３を介して携帯端末装置１０４と通信を行い、例えば生徒の携帯端末装置１０４へのコンテンツ配信を指示したり、生徒の携帯端末装置からの応答情報の収集等を制御する。
【００１３】
図２に、配信管理装置１０２の構成を示す。配信管理装置１０２は、インターネット１０１との通信を行う伝送部２０１と、操作部２０２と、表示部２０３とを有し、伝送部２０１を介してインターネット１０１から取り込んだ情報を表示部２０３に表示する。またユーザの操作部２０２の操作に応じて制御部２０４で形成された制御信号が、通信モード起動指示信号生成部２０５、配信データ生成部２０６及び配信データ管理部２０７に送出される。
【００１４】
通信モード起動指示信号生成部２０５は、制御部２０４からの制御信号に基づいて、ＭＢＭＳ通信モードを起動することを指示するＭＢＭＳ通信モード起動指示信号を生成し、これを伝送部２０１に送出する。配信データ生成部２０６は、インターネット１０１と接続されているコンテンツサーバ１００を制御して配信するデータの編集や配信指示を行う。配信データ管理部２０７は、配信する教材リストやコンテンツサーバ１００を管理する。
【００１５】
このように配信管理装置１０２は、ユーザによりコンテンツの配信指示があると、即座にコンテンツの配信を行うのではなく、各携帯端末装置１０４に宛てて、ＭＢＭＳ通信モードを起動することを指示する信号を送った後に、コンテンツの配信を行うようになっている。これにより、各携帯端末装置１０４では、ＭＢＭＳ通信モード起動指示信号に基づいて、ＭＢＭＳ通信モードを行うために必要な準備を行った後に、ＭＢＭＳ通信モードに入ることができるようになる。
【００１６】
図３に、携帯端末装置１０４の構成を示す。携帯端末装置１０４は、携帯電話網１０３を通じてインターネット１０１とのデータの送受信が可能な無線送受信部３０１と、無線送受信部３０１により受信したデータを解読する受信データ解読部３０５と、受信したコンテンツ等のデータを保存する記憶部３０２と、受信したコンテンツ等を表示する表示部３０３と、装置全体の動作を制御する制御部３０４と、アプリケーションプログラムに従って各種のアプリケーションを実行するアプリケーション実行部３０７とを有する。
【００１７】
これに加えて、携帯端末装置１０４は、ＭＢＭＳモード起動部３０６を有する。ＭＢＭＳモード起動部３０６は、携帯端末装置１０４が配信管理装置１０２からのＭＢＭＳ通信モード起動指示信号を受信し、受信データ解読部３０５によりこのことを示すデータが得られると、装置全体をＭＢＭＳ通信モードに切り替える。実際には、制御部３０４やアプリケーション実行部３０７に、ＭＢＭＳ通信モードを実行することを指示する。これにより、コンテンツが配信される前に、アプリケーション実行部３０７や制御部３０４を、ＭＢＭＳ通信モードを余裕をもって実行する状態にすることができるので、配信されたコンテンツを確実に受信できるようになる。
【００１８】
次に、図４を用いて、本実施の形態のコンテンツ配信システムの動作を説明する。
【００１９】
まず、講習会や教室等で講師が聴講者や生徒の携帯電話に資料、問題、連絡事項等のデータを配信したいときや予め講義を始める前等に、講師用の配信管理装置１０２の操作部２０２によって操作を行うと、通信モード起動指示信号生成部２０５によって、携帯端末装置１０４宛のＭＢＭＳ通信モード起動指示信号が伝送部２０１を介してインターネット１０１に送出される（Ｓ１０５）。
【００２０】
このＭＢＭＳ通信モード起動指示信号はインターネット１０１及び携帯電話網１０３を経由して、生徒が所有している各々の携帯端末装置１０４に同報送信される。またこの実施の形態の場合には、ＭＢＭＳ通信モード起動指示信号は、携帯端末装置で受信できない状況があることを考慮して、１回の送信ではなく、連送および再送を行うものとする。携帯端末装置１０４は無線送受信部３０１によりＭＢＭＳ通信モード起動指示信号を受信し（Ｓ１０１）、受信データ解読部３０５によりＭＢＭＳ通信モード起動指示信号を解読する。携帯端末装置１０４は、ＭＢＭＳ通信モード起動の指示を認識したらＭＢＭＳモード起動部３０６によって自らをＭＢＭＳ通信モードに設定する（Ｓ１０２）。
【００２１】
配信管理装置１０２は、配信データ管理部２０７及び配信データ生成部２０６によって、携帯端末装置１０４に対してＭＢＭＳ通信モードでの情報配信を行い（Ｓ１０６）、携帯端末装置１０４は、無線送受信部３０１により配信情報を受信すると共に受信データ解読部３０５によりコンテンツ等の配信情報を解読する受信処理（Ｓ１０３）を行った後、制御部３０４によって表示部３０３に配信情報を表示し記憶部３０２にデータを保存する（Ｓ１０４）。
【００２２】
かくして本実施の形態によれば、配信側でＭＢＭＳ通信モード起動指示信号を生成してこれを各携帯端末装置１０４に同報通知し、携帯端末装置１０４はこのＭＢＭＳ通信モード起動指示信号に基づいてＭＢＭＳ通信モードを起動するための準備及び起動を行うようにしたことにより、携帯端末装置１０４側で何も操作を行わなくても配信管理装置１０２からの指示で通信モードを自動的に切り替えることができるので、生徒等が各々の携帯端末装置１０４を操作して通信モードを設定しなくても講師から強制的に通信モードを切り替えてコンテンツ等をダウンロードすることができるようになり、効率良く講義を進めることができる。
【００２３】
また携帯端末装置１０４がＭＢＭＳ通信モードに入るにあたって、準備期間を持つことができるようになるので、配信データをＭＢＭＳ通信モードで受信する際の信頼性が向上する。
【００２４】
（実施の形態２）
図３との対応部分に同一符号を付して示す図５に、本実施の形態の携帯端末装置の構成を示す。携帯端末装置４００は、アプリケーション停止部４０１を有することを除いて図３の携帯端末装置１０４と同様の構成でなる。
【００２５】
アプリケーション停止部４０１は、携帯端末装置４００が配信管理装置１０２からのＭＢＭＳ通信モード起動指示信号を受信し、受信データ解読部３０５によりこのことを示すデータが得られると、アプリケーション実行部３０７において現在動作中のアプリケーションプログラムを停止させる。
【００２６】
この際、本実施の形態の場合、アプリケーション停止部４０１は、動作中のアプリケーションを全て停止させる場合について説明するが、要は、ＭＢＭＳ通信モードを実行するのに必要なリソースが確保できればよいので、これを考慮して、動作中のアプリケーションのうち一部のアプリケーションのみを停止させるようにしてもよい。
【００２７】
次に、図６を用いて、本実施の形態のコンテンツ配信システムの動作を説明する。なお図６では、図４との対応部分には同一符号を付し、その説明は省略する。
【００２８】
携帯端末装置４００は、無線送受信部３０１によりＭＢＭＳ通信モード起動指示信号を受信し（Ｓ１０１）、受信データ解読部３０５によりＭＢＭＳ通信モード起動指示信号を解読すると、アプリケーション停止部４０１がアプリケーション実行部３０７で他のアプリケーションプログラムを実行中であるか否か検出し（Ｓ２０１）、他のアプリケーションプログラムが実行されていない場合には、ステップＳ１０２に移ってＭＢＭＳモード起動部３０６によって自らをＭＢＭＳ通信モードに設定する。これに対して、他のアプリケーションプログラムが実行されている場合には、ステップＳ２０２に移ってアプリケーション停止部４０１によってアプリケーション実行部３０７で実行されているアプリケーションプログラムの動作を停止させる。
【００２９】
これにより、ＭＢＭＳ通信モードが起動される際には、他のアプリケーションプログラムが行われていないので、ＭＢＭＳ通信モードを十分なリソースで実行することができるようになる。この結果、配信データを確実に受信することができる。
【００３０】
なおアプリケーションプログラムの停止処理を行う場合には、各アプリケーションの状態を保持しておく。これにより、配信データの受信が終了した後に、中断されたアプリケーションプログラムを迅速に継続することができるようになる。
【００３１】
かくして本実施の形態によれば、携帯端末装置４００側で何も操作を行わなくても配信管理装置１０２からの指示（ＭＢＭＳ通信モード起動指示信号）で携帯端末装置４００の通信モードを自動的に切り替えることができるだけでなく、ＭＢＭＳ通信モード起動指示信号に基づいて他のアプリケーションプログラムの動作を停止させるようにしたことにより、配信データ受信時の他のリソースの占有率が下がり、ＭＢＭＳ通信モードでの配信データの受信の信頼性を高めることができる。
【００３２】
（実施の形態３）
本実施の形態では、実施の形態２で説明したようにＭＢＭＳ通信モード起動指示信号に基づき動作中のアプリケーションプログラムを停止するにあたって、配信開始までの残り時間に基づいて段階的にアプリケーションプログラムの停止処理を行うことを提案する。
【００３３】
この実施の形態の場合、配信管理装置１０２の通信モード起動指示信号生成部２０５（図２）によって、配信開始までの時間に応じて要求レベルの異なるコマンドを生成して携帯端末装置に送信する。このコマンドは通信モード起動指示信号に付加されて送信される。そして携帯端末装置においては、受信したコマンドによって示される要求レベルに応じて異なるアプリケーションプログラムの停止処理を行うようになっている。
【００３４】
図５との対応部分に同一符号を付して示す図７に、本実施の形態の携帯端末装置の構成を示す。携帯端末装置５００は、要求レベルカウンタ５０１を有することを除いて図５の携帯端末装置４００と同様の構成でなる。
【００３５】
携帯端末装置５００は、要求レベルカウンタ５０１のカウンタ値に応じて異なるアプリケーションプログラム終了処理を行うようになっている。具体的には、カウンタ値が大きいほど強制的にアプリケーションプログラムを終了するような処理を行う。
【００３６】
要求レベルカウンタ５０１は、通信モード起動指示信号が受信される度に、付加されている要求レベルに応じてカウンタ値を増加させる。さらに、要求レベルカウンタ５０１はタイマを有し、最初の通信モード起動指示信号が入力されると、所定時間毎（例えば数分毎）にカウンタ値をインクリメントするようになっている。これにより、通信モード起動指示信号がなかなか受信できないような無線伝搬環境下でも、コンテンツの配信タイミングが近づくにつれて、アプリケーションプログラムの停止要求を高くすることができる。また１度だけ通信モード起動指示信号を送信すれば、コンテンツの配信タイミングが近づくにつれて、自動的にアプリケーションプログラムを強制的に停止するモードへと順次移行させることができるようになる。
【００３７】
図８に、本実施の形態によるアプリケーションプログラム終了処理を示す。図８の処理は、図６のステップＳ２０２の処理に相当する。携帯端末装置５００は、アプリケーションプログラム終了処理（Ｓ３００）に入ると、続くステップＳ３０１で空きリソースは規定値未満か否か、すなわちＭＢＭＳ通信モードを実行するのに十分な空きリソースがあるか否か判断し、空きリソースが不足していると判断した場合にはステップＳ３０２に移って要求レベルカウンタ値を見て、カウンタ値に応じてステップＳ３０３−１〜Ｓ３０３−Ｎのうちのいずれかの処理に移る。
【００３８】
例えば、要求レベルが第１段階の時には、講義開始前である旨のポップアップ表示をしてユーザ自身にアプリケーション動作の終了を促すものとし（Ｓ３０３−１）、第２段階になると動作中のアプリケーション上に終了を確認する画面を表示しガイドに沿ってユーザに順番に終了させるものとし（Ｓ３０３−２）、最終段階においては、必要最低限の状態を保持して強制的に終了させてしまうものとする（Ｓ３０３−Ｎ）。なお１〜Ｎは、カウンタ値を示す。
【００３９】
続くステップＳ３０４では、カウンタ値を更新（すなわちインクリメント）する。実際には、上述したように、要求レベルの更新された通信モード起動指示信号を受信したり、又は所定時間毎にカウンタ値をインクリメントする。
【００４０】
その後、ステップＳ３０１に戻り、空きリソースが規定値未満の場合には、更新したカウンタ値に基づいてステップＳ３０２、Ｓ３０３−１〜Ｓ３０３−Ｎの処理を行う。このとき、前回よりもカウンタ値は大きくなっているので、前回のアプリケーション終了処理よりも強制的にアプリケーションを終了する処理を行う。すなわち配信タイミングが近づくほどカウンタ値が大きくなり、カウンタ値が大きくなるほど、強制的なアプリケーション終了処理を行う。
【００４１】
図９に、ＭＢＭＳ通信開始要求（すなわち通信モード起動指示信号）を受信したと同時に、各携帯端末装置がＭＢＭＳ通信モードを起動する場合を模式的に示す。この場合、各携帯端末装置は、ＭＢＭＳ通信開始要求を受信すると、ＭＢＭＳ通信モードを実行するのに必要なリソースが確保されるように、強制的に他のアプリケーションプログラムを終了する。
【００４２】
図１０に、本実施の形態における、配信までの残り時間を示すカウンタ値に基づいて段階的にアプリケーションプログラムを終了させる処理を模式的に示した。図１０では、携帯端末Ａのみが最初に送信されたＭＢＭＳ通信開始要求（１／Ｎ）を受信できたものとし、携帯端末Ｂは２回目に送信されたＭＢＭＳ通信開始要求（２／Ｎ）を受信できたものとし、携帯端末Ｃは最後（Ｎ回目）に送信されたＭＢＭＳ通信開始要求（Ｎ／Ｎ）を受信できたものとする。
【００４３】
携帯端末Ａは配信までの時間が十分にあるので、強制度の低いアプリケーション終了処理１（図８のステップＳ３０３−１）を行ってＭＢＭＳ通信モードに移行する。携帯端末Ｂは配信までの時間が比較的あるので、アプリケーション終了処理２（図８のステップＳ３０３−２）を行ってＭＢＭＳ通信モードに移行する。これに対して、携帯端末Ｃは配信までの時間が短いので、強制度の最も高いアプリケーション終了処理Ｎ（図８のステップＳ３０３−Ｎ）を行ってすぐにＭＢＭＳ通信モードに移行する。
【００４４】
かくして本実施の形態によれば、配信側で配信までの残り時間を示すコマンドを送信し、携帯端末装置５００が配信までの残り時間に応じて段階的なアプリケーションプログラム終了処理を行うようにしたことにより、他の動作中のアプリケーションプログラムを不必要に停止させずに済むようになる。すなわち、配信までの時間に余裕がある場合には、強制的にアプリケーションプログラムを停止させるのではなく、ユーザの所定の操作を経てから停止させることができるようになり、さらに時間に余裕が無い場合には強制的に停止するので、ユーザの使い勝手を維持しつつ、ＭＢＭＳ通信モードに必要なリソースを確実に確保できるようになる。
【００４５】
（実施の形態４）
図５との対応部分に同一符号を付して示す図１１に、本実施の形態の携帯端末装置の構成を示す。携帯端末装置６００は、位置情報検出部６０１を有することと、ＭＢＭＳモード起動部３０６とアプリケーション停止部４０１がＭＢＭＳ通信モード起動指示信号に基づいて動作するのではなく位置情報検出部６０１によって検出された位置情報に基づいて動作する点が、図５の携帯端末装置４００と異なる。
【００４６】
位置情報検出部６０１は、携帯電話網１０３の基地局あるいは衛星システム等を利用して自装置の位置を検出する。位置情報検出部６０１は、自装置の位置情報を常時検出しており、予め登録してある講習会の会場や教室等の特定のエリアに入ったか否かを判断する。そして携帯端末装置６００は、位置情報検出部６０１によって特定のエリアに入ったことを検出すると、このことをＭＢＭＳモード起動部３０６及びアプリケーション停止部４０１に通知する。
【００４７】
ＭＢＭＳモード起動部３０６及びアプリケーション停止部４０１は、ＭＢＭＳ通信モード起動指示信号の代わりに、位置情報検出部６０１からの特定のエリアに入ったことを示す検出信号をトリガとして、実施の形態１や実施の形態２で説明した、ＭＢＭＳ通信モードの起動処理やアプリケーションプログラムの停止処理を行うようになっている。すなわち、本実施の形態においては、配信管理装置１０２からＭＢＭＳ通信モード起動指示信号を送信する必要はない。
【００４８】
次に、図１２を用いて、本実施の形態のコンテンツ配信システムの動作を説明する。なお図１２では、図６との対応部分には同一符号を付し、その説明は省略する。本実施の形態の携帯端末装置６００は、通信モード起動指示信号受信確認処理（ステップＳ１０１）に代えて、位置情報検出部６０１からの位置情報により教室内に移動したかを検出する処理（ステップＳ４０１）を行う。そして位置情報により教室内に移動したことを確認すると、以下、通信モード起動指示信号を受信したときと同様の処理を行う。
【００４９】
かくして本実施の形態によれば、配信が行われる特定エリアに入ったことを検出する位置情報検出部６０１を設け、特定位置に入ったことが検出されたときにアプリケーションプログラムの停止処理及びＭＢＭＳ通信モード起動処理を行うようにしたことにより、携帯端末装置６００や配信管理装置１０２で何も操作を行わなくても、通信モードを自動的に切り替えることができ、かつ、携帯端末装置６００上で動作中の他のアプリケーションプログラムを停止させることによってリソースの占有率が下がりＭＢＭＳ通信モードのデータの受信の信頼性を高めることができる。
【００５０】
（他の実施の形態）
なお上述した実施の形態では、本発明を、図１に示す構成のコンテンツ配信システムに適用する場合について説明したが、本発明はこれに限らず、図１３に示すような構成のコンテンツ配信システムに適用してもよい。
【００５１】
図１３のコンテンツ配信システムは、無線ＬＡＮアクセスポイントを経由して接続でき、かつインターネット１０１と接続されたＬＡＮ７０３と、無線ＬＡＮにアクセスできる携帯電話、パソコン、ＰＤＡ等の携帯端末装置７０５と、配信管理装置７０４と、各種アプリケーションを含むコンテンツサーバ７０２を有する。また配信管理装置７０４はインターネット１０１に接続されており、インターネット１０１を介してコンテンツサーバ７０２とは別のコンテンツサーバ１００の情報も収集できるようになっている。配信管理装置７０４は、上述した配信管理装置１０２と同様に、マルチキャスト通信により各携帯端末装置７０５に配信データ（コンテンツ）を同報配信する。
【００５２】
ここで、図１３に示すようなシステムに用いる携帯端末装置７０５においては、図３、図５、図７、図１１の無線送受信部３０１を公衆携帯電話網ではなく学校や会場に設置された無線ＬＡＮ配下で動作するものとすればよい。また実施の形態４で説明した位置情報検出部６０１は無線ＬＡＮのアクセスポイントを利用して位置を検出することも可能である。また配信管理装置７０４の構成は、図２の配信管理装置１０２と同様でよいが、インターネット１０１へ接続される無線ＬＡＮ配下で動作するものとする。
【００５３】
また上述した実施の形態では、配信管理装置１０２からの通信モード起動指示信号に基づいて、又は位置情報に基づいて、携帯端末装置が自動的にアプリケーションプログラムを停止すると共に自動的にＭＢＭＳ通信モードに切り替える場合について説明したが、本発明のアプリケーション停止処理及び通信モード切り替え処理のタイミングはこれらに限らない。携帯端末に予め時間割を登録しておくことによって当該時間になったら自動的にアプリケーション停止処理及び通信モード切り替え処理を行う方法や、履修過程の制御するアプリケーションプログラムを端末に登録して、履修の進捗状況や理解度に応じて次の教材をダウンロードするタイミングで自動的にアプリケーション停止処理及び通信モード切り替え処理を行う方法を用いても好適である。
【００５４】
さらに上述した実施の形態では、本発明を、ＭＢＭＳ通信モードによってデータダウンロードを行うシステムに適用した場合について説明したが、本発明はこれに限らず、要は、ハンドシェークを行わない１対Ｎ型のコンテンツ配信システム、すなわちマルチキャストを使ったデータダウンロードシステムに広く適用することができ、上述した実施の形態と同様の効果を得ることができる。
【産業上の利用可能性】
【００５５】
本発明は、例えば教室等で生徒の携帯端末装置に、教師が配信管理装置を用いて一斉にコンテンツを配信するシステムに適用して好適なものである。
【図面の簡単な説明】
【００５６】
【図１】本発明の実施の形態に係るマルチキャストを用いたコンテンツ配信システムの構成例を示す図
【図２】実施の形態の配信管理装置の構成を示すブロック図
【図３】実施の形態１の携帯端末装置の構成を示すブロック図
【図４】実施の形態１のコンテンツ配信システムの動作の説明に供するフローチャート
【図５】実施の形態２の携帯端末装置の構成を示すブロック図
【図６】実施の形態２のコンテンツ配信システムの動作の説明に供するフローチャート
【図７】実施の形態３の携帯端末装置の構成を示すブロック図
【図８】実施の形態３によるアプリケーション終了処理の説明に供するフローチャート
【図９】ＭＢＭＳ通信開始要求と同時にＭＢＭＳモードを起動する場合を示す図
【図１０】段階的なアプリケーションプログラム終了処理の説明に供する図
【図１１】実施の形態４の携帯端末装置の構成を示すブロック図
【図１２】実施の形態４のコンテンツ配信システムの動作の説明に供するフローチャート
【図１３】コンテンツ配信システムの他の構成例を示す図
【符号の説明】
【００５７】
１００、７０２  コンテンツサーバ
１０１  インターネット
１０２、７０４  配信管理装置
１０３  携帯電話網
１０４、４００、５００、６００、７０５  携帯端末装置
２０１  伝送部
２０２  操作部
２０３  表示部
２０４  制御部
２０５  通信モード起動指示信号生成部
２０６  配信データ生成部
２０７  配信データ管理部
３０１  無線送受信部
３０２  記憶部
３０３  表示部
３０４  制御部
３０５  受信データ解読部
３０６  ＭＢＭＳモード起動部
３０７  アプリケーション実行部
４０１  アプリケーション停止部
５０１  要求レベルカウンタ
６０１  位置情報検出部
７０３  ＬＡＮ
【図１】
2005303744.tif 000003
【図２】
2005303744.tif 000004
【図３】
2005303744.tif 000005
【図４】
2005303744.tif 000006
【図５】
2005303744.tif 000007
【図６】
2005303744.tif 000008
【図７】
2005303744.tif 000009
【図８】
2005303744.tif 000010
【図９】
2005303744.tif 000011
【図１０】
2005303744.tif 000012
【図１１】
2005303744.tif 000013
【図１２】
2005303744.tif 000014
【図１３】
2005303744.tif 000015
【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
無線通信が可能な携帯端末と、コンテンツサーバに格納されたコンテンツデータの配信を制御して無線により前記携帯端末に配信する配信管理装置とを有するコンテンツ配信システムであって、
前記配信管理装置は、前記携帯端末に、マルチキャストを使ったデータダウンロードの通信モードを起動することを指示する通信モード起動指示信号を生成する通信モード起動指示信号生成手段を具備し、
前記携帯端末は、前記通信モード起動指示信号に基づきマルチキャストデータダウンロード通信モードを起動するマルチキャストデータダウンロード通信モード起動手段と、前記通信モード起動指示信号に基づき、動作中のアプリケーションプログラムを停止するアプリケーション停止手段とを具備する
ことを特徴とするコンテンツ配信システム。
【請求項２】
前記アプリケーション停止手段は、前記マルチキャストデータダウンロード通信モードを開始するのに十分なリソースが確保されていないと判断したときに、前記アプリケーションプログラムを停止する
ことを特徴とする請求項１に記載のコンテンツ配信システム。
【請求項３】
前記配信管理装置は、前記通信モード起動指示信号として、配信開始までの残り時間を示す情報を含む信号を生成し、
前記携帯端末は、前記配信開始までの残り時間に基づいて段階的に前記アプリケーションの停止処理を行う
ことを特徴とする請求項１に記載のコンテンツ配信システム。
【請求項４】
前記携帯端末は、前記配信開始までの残り時間に基づいてカウント値が増加していく要求レベルカウンタを具備し、当該要求レベルカウンタのカウント値に応じて段階的に前記アプリケーションの停止処理を行う
請求項３に記載のコンテンツ配信システム。
【請求項５】
無線通信機能を有し、コンテンツサーバに格納されたコンテンツデータを無線により受信する携帯端末装置であって、
動作中のアプリケーションプログラムを停止するアプリケーション停止手段と、
前記アプリケーションプログラムが停止された後に、マルチキャストデータダウンロード通信モードを起動するマルチキャストデータダウンロード通信モード起動手段と
を具備することを特徴とする携帯端末装置。
【請求項６】
自端末が特定の位置に存在するか否かを検出する位置検出手段を具備し、
前記アプリケーション停止手段は、特定の位置に存在する検出結果が得られたとき、動作中のアプリケーションプログラムを停止し、
前記マルチキャストデータダウンロード通信モード起動手段は、特定の位置に存在する検出結果が得られたとき、マルチキャストデータダウンロード通信モードを起動する
ことを特徴とする請求項５に記載の携帯端末装置。
【請求項７】
配信管理装置が、携帯端末にマルチキャストを使ったデータダウンロードの通信モードを起動することを指示する信号を送信するステップと、
携帯端末が、前記通信モードを起動することを指示する信号を受信し、動作中のアプリケーションプログラムを停止すると共に前記通信モードを起動するステップと、
前記配信管理装置が、配信情報を送信するステップと、
前記携帯端末が、前記通信モードで配信情報を受信するステップと
を含むコンテンツ配信方法。